(57)【要約】【課題】美観に優れるとともに、担架を用いることなく洗浄作業を可能とし、さらに洗浄作業を容易にすることができる湯灌用洗浄槽を提供すること。【解決手段】湯灌の対象となる遺体が載置されるテーブル３と、洗浄に用いた湯を収容する貯湯槽２とを備え、前記テーブル３が前記貯湯槽２に着脱自在に配置されている。この貯湯槽２は、その周囲が台座４によりほぼ取り囲まれるようになっており、かつ該台座４に着脱自在に支持されている。テーブル３と貯湯槽２の間には、間隙１１、１２が設けられており、洗浄に用いた湯は、この間隙を通じて貯湯槽２内へ落下する。【選択図】  図１
2005211337.tif 000002
【特許請求の範囲】
【請求項１】
湯灌の対象となる遺体が載置されるテーブルと、洗浄に用いた湯を収容する貯湯槽とを備え、前記テーブルが前記貯湯槽に着脱自在に配置されていることを特徴とする湯灌用洗浄槽。
【請求項２】
前記湯灌用洗浄槽は、さらに前記貯湯槽の周囲をほぼ囲むとともに該貯湯層を着脱自在に支持する台座を備えたことを特徴とする湯灌用洗浄槽。
【請求項３】
前記貯湯槽は、前記テーブルの周囲を所定の間隔を介して取り囲むことができるサイズとなっている請求項１または２に記載の湯灌用洗浄槽。
【請求項４】
前記テーブルの上面は、前記貯湯槽の上面フランジよりも所定の高さだけ低くなっている請求項１ないし３のいずれかに記載の湯灌用洗浄槽。
【請求項５】
前記テーブルの底面には一対の脚部が設けられており、前記貯湯槽の底には前記テーブルの脚部を支持する一対の支持部が設けられている請求項１ないし４のいずれかに記載の湯灌用洗浄槽。
【請求項６】
前記テーブルの脚部と前記貯湯槽の支持部を着脱自在にロックするロック機構が設けられている請求項５に記載の湯灌用洗浄槽。
【請求項７】
前記台座には膝入れ部が設けられている請求項２記載の湯灌用洗浄槽。
【発明の詳細な説明】
【技術分野】
【０００１】
本発明は、葬儀における湯灌に使用される湯灌用洗浄槽に関する。
【背景技術】
【０００２】
一般に、我が国における葬儀においては、納棺に先立って「湯灌の儀」と称される儀式が実施される場合が多い。湯灌の儀とは、故人の現世での煩悩を洗い清め、現世での汚れを一切落とし、安らかに見送ることを目的として行われる儀式である。この湯灌の儀は、主として、故人の納棺に先だって、遺体を洗浄するための専用の槽である洗浄槽（「清浄槽」とも呼ばれる）において、温水を用いて故人の体を洗い清めることによって行われる。
【０００３】
従来の湯灌用洗浄槽としては、以下の先行技術文献１に開示されているような浴槽型の洗浄槽が用いられている。この湯灌用洗浄槽は、入浴用に用いられる一般的な浴槽より深さの浅い貯湯部と、その周囲を装飾するためのカバーから構成されている。そして、湯灌の儀における遺体の洗浄作業は、以下のような順序で行われる。まず、最初に、担架を湯灌用洗浄槽の上部に搭載し、次に、タオルで覆った遺体を担架に載置する。次に、湯灌用洗浄槽の側部に遺体を洗浄する従事者が正座もしくは膝立ちし、タオルにより覆い隠してシャワー等を用いながら遺体を洗浄する。
【０００４】
【特許文献１】特開２００３−１５９２９３号公報
【発明の開示】
【発明が解決しようとする課題】
【０００５】
しかし、上記の湯灌用洗浄槽では担架に遺体を載置した上で遺体の洗浄を行うため、遺体の重量により担架のネットが沈み込んでしまう。このため、洗浄作業後に布団等の上へ遺体を移動することは、上記の従事者の無理な姿勢とあいまって、従事者の腰への負担が大きくなるとともに力のいる非常に困難な作業になっていた。
【０００６】
また、湯灌の儀終了後において使用した担架の洗浄・消毒を行う必要があるが、担架のネット部は布製であるため縫い目部分や折返し部分があり、これらの部分に付着した汚れを洗浄・消毒する作業は手間がかかるという問題点があった。さらに、この担架のネット部は、消耗により定期的に交換する必要があるため、その交換費用がかかるという問題点があった。
【０００７】
また、上記従来例の湯灌用洗浄槽には、葬儀会館等での使用時に付加価値を着けるために、貯湯部周囲に装飾用のカバーを取り付けるため、従事者が湯灌用洗浄槽の側部に正座したり膝立ちすると、従事者の膝がカバーに干渉し、腰が引けているような無理な姿勢で洗浄作業を行わなければならないという問題点があった。
【０００８】
本発明は、上記問題点に鑑み、美観に優れるとともに、担架を用いることなく洗浄作業を可能とし、さらに洗浄作業を容易にすることができる湯灌用洗浄槽を提供することを目的とする。
【課題を解決するための手段】
【０００９】
本発明の湯灌用洗浄槽は、湯灌の対象となる遺体が載置されるテーブルと、洗浄に用いた湯を収容する貯湯槽とを備え、前記テーブルが前記貯湯槽に着脱自在に配置されていることを特徴とする。
【００１０】
本発明では、遺体載置用のテーブルを備えているため、担架を用いることなく遺体を洗浄することができる。また、このテーブルは貯湯槽と着脱自在であるため、テーブルおよび貯湯槽の洗浄・消毒が容易である。
【００１１】
また、本発明の湯灌用洗浄槽は、前記貯湯槽の周囲をほぼ取り囲むとともに該貯湯槽を着脱自在に支持する台座を備えていることが好ましい。このように台座を設けることにより、湯灌用洗浄槽の装飾の自由度を確保し、かつ貯湯槽を台座から着脱自在とすることにより貯湯槽の清浄・消毒や保守作業を容易にすることができる。
【００１２】
また、本発明の湯灌用洗浄槽は、前記貯湯槽が、前記テーブルの周囲を所定の間隔を介して取り囲むことができるサイズとなっていることが好ましい。これにより、洗浄に用いた湯が貯湯槽に効率的に落下するようにすることができる。
【００１３】
また、本発明の湯灌用洗浄槽は、前記テーブルの上面が、前記貯湯槽の上面フランジよりも所定の高さだけ低くなっていることが好ましい。これにより、遺体の洗浄作業による湯の飛散を防止することができる。
【００１４】
本発明の湯灌用洗浄槽は、前記テーブルの底面に一対の脚部が設けられており、前記貯湯槽の底には前記テーブルの脚部を支持する一対の支持部が設けられていることが好ましい。
【００１５】
さらに、本発明の湯灌用洗浄槽は、前記テーブルの脚部と前記貯湯槽の支持部を着脱自在にロックするロック機構が設けられていることが好ましい。
【００１６】
さらに、本発明の湯灌用洗浄槽は、前記台座に膝入れ部が設けられていることが好ましい。これにより、洗浄作業の従事者の膝が湯灌用洗浄槽と干渉することを防止し、従事者が無理のない姿勢で洗浄作業を行うことができる。
【発明を実施するための最良の形態】
【００１７】
図１は本発明の実施の形態に係る湯灌用洗浄槽１を示している。この湯灌用洗浄槽１は、浴槽型の貯湯槽２と、貯湯槽２の内部に着脱自在に設置されているテーブル３と、貯湯槽の２周囲に配置され、該貯湯槽２を着脱自在に支持する台座４から構成されている。これらの部材は、強度に優れるＦＲＰ製で製作することが好ましい。
【００１８】
貯湯槽２は、図２に示すように、内部に貯湯部２０を有し、全体の形状は浅い浴槽型である。上縁側にはフランジ２１が設けられており、後述するように、このフランジ２１の裏面は台座４の上縁４１により支持される。貯湯槽２の底面２２には、一対の支持部２３と、排水孔２４が設けられている。この一対の支持部２３は、後述するように、テーブル３の裏面３１に設けられた脚部３２と係合する。なお、排水孔２４は、必要に応じて栓（図示せず）を設けることが好ましい。洗浄後に貯湯部２０に溜まった汚水は、この排水孔２４から抜き取られ、必要な場合には、汚水回収タンクのある車両により持ち帰って処分される。
【００１９】
テーブル３は、図１および図３に示すように、平板状であり、その裏面３１には一対の脚部３２が設けられている。なお、表面３０には遺体が載置されるため、平面状に形成されている。脚部３２は、コの字型の凹部３３が設けられており、この凹部３３は、上記貯湯槽２の支持部２３と係合し、ロック機構を形成する。このロック機構により、テーブル３は、貯湯槽２の内部において水平方向への移動が規制され常に所定位置に配置される。また、コの字型に形成することにより、汚水が係合箇所に溜まることが防止され、洗浄・消毒作業を容易にしている。
【００２０】
台座４は、図４に示すように、枠体状であり、貯湯槽２の周囲をほぼ取り囲むようになっている。長手方向の両側板の下方には切り欠きがあり、膝入部４２を形成している。この膝入部４２は、湯灌の儀の際に、正座もしくは膝立ちして洗浄作業を行う従事者の膝を入れることを可能とし、従事者が無理のない姿勢で洗浄作業を行うことができるようにしている。この台座４は、その上縁４１により貯湯槽２のフランジ２１の裏面を支持するようになっており、それにより台座４により貯湯槽２が着脱自在に支持される。この台座４を適宜着色や装飾することにより、湯灌用洗浄槽１の美観を向上させることができる。
【００２１】
図５は、湯灌用洗浄槽１の長手方向における縦断面図であり、台座４に着脱自在に支持された貯湯槽２と、貯湯槽２の内部に着脱自在に設置されたテーブル３の位置関係を示している。なお、膝入部４２は、図を理解しやすいように一点鎖線で示されている。
【００２２】
テーブル３の表面３０は、貯湯槽２のフランジ２１の上面よりも、高さ方向においてｈ寸法だけ低く位置している。このため、遺体の洗浄作業による湯の飛散を防止することができる。このｈ寸法は、１００ｍｍ程度であることが好ましい。
【００２３】
テーブル３のサイズは貯湯槽２の内壁サイズよりも小さく、テーブル３を貯湯槽２の内部に配置した際に、テーブル３の周囲に所定の間隙が形成される。即ち、テーブル３の長辺縁３５と貯湯槽２の長辺内壁２５の間には間隙１１が、テーブル３の短辺縁３６と貯湯槽２の短辺内壁２６の間には間隙１２が形成される（図１参照）。図５において、間隙１２の幅がｗ寸法として示されている。洗浄に用いた湯は、貯湯槽２の貯湯部２０内部へと効率的に落下し、汚水が遺族に見えないようにすることができる。このｗ寸法は５０ｍｍ程度であることが好ましい。実際の洗浄作業では、遺体にバスタオルなどを掛け、その両側をこの間隙１１にそれぞれ差し込み、洗浄に用いた湯が貯湯槽２の貯湯部２０内部へ導かれるようにしている。
【００２４】
本実施形態の湯灌用洗浄槽１によれば、テーブル３を備えるとともに、該テーブル３が貯湯槽２と着脱自在に構成されているため、担架を用いることなく遺体を洗浄することができる。また、テーブル３はＦＲＰ製であるため、担架に用いられる布部分を有しないため、洗浄・消毒作業が容易である。
【００２５】
さらに、テーブル３の脚部３２の凹部３３と、貯湯槽２の支持部２３がシンプルなロック機構を形成するため、貯湯槽２の内部におけるテーブル３の位置決めが容易であるとともに、テーブル３の水平方向のガタつきを防止することができる。
【図面の簡単な説明】
【００２６】
【図１】本発明の湯灌用洗浄槽１の全体構成を示す斜視図である。
【図２】図１に示す湯灌用洗浄槽１の貯湯槽２を示す斜視図である。
【図３】図１に示す湯灌用洗浄槽１のテーブル３の裏面側を示す斜視図である。
【図４】図１に示す湯灌用洗浄槽１の台座４を示す斜視図である。
【図５】図１に示す湯灌用洗浄槽１の長手方向断面説明図である。
【符号の説明】
【００２７】
１  湯灌用洗浄槽
２  貯湯槽
３  テーブル
４  台座
１１、１２  間隙
２０  貯湯部
２１  フランジ
２２  底面
２３  支持部
２４  排水孔
２５  長辺内壁
２６  短辺内壁
３０  テーブル表面
３１  テーブル裏面
３２  脚部
３３  凹部
３５  長辺縁
３６  短辺縁
４１  上縁
４２  膝入部
【図１】
2005211337.tif 000003
【図２】
2005211337.tif 000004
【図３】
2005211337.tif 000005
【図４】
2005211337.tif 000006
【図５】
2005211337.tif 000007